(57)【要約】      （修正有）【課題】通常のスナップ写真などを複数分ストラップのアクセサリとできるストラップアクセサリ作成材料を提供し、そのストラップのサイズも常時身に付けるものとして不自由でないサイズとできるストラップアクセサリ作成材料、ストラップアクセサリおよびストラップを提供する。【解決手段】ベースシートと、ベースシート上で剥離可能に配置される写真プリント用の複数のシールとを有し、各シールは、シール中央に折り目を有し、折り目で分けられる見開き２ページの各ページ裏面を他の任意のシールの各ページ裏面と貼り合わせることでストラップのアクセサリとなる小さな写真アルバムのアルバムページ部を作成可能に構成されているストラップアクセサリ作成材料、当該ストラップアクセサリ作成材料を用いて作成されるストラップアクセサリおよび当該ストラップアクセサリを備えたストラップを提供する。【選択図】図１
2010213847.tif 000002
【特許請求の範囲】
【請求項１】
ベースシートと、
ベースシート上で剥離可能に配置される写真プリント用の複数のシールと、
を有し、
各シールは、シール中央に折り目を有し、
折り目で分けられる見開き２ページの各ページ裏面を他の任意のシールの各ページ裏面と貼り合わせることでストラップのアクセサリとなる小さな写真アルバムのアルバムページ部を作成可能に構成されている
ストラップアクセサリ作成材料。
【請求項２】
各シールは、角に丸みを持たせた形状である請求項１に記載のストラップアクセサリ用材料。
【請求項３】
ベースシート上で剥離可能に配置される写真プリント用の表紙シールを有し、
表紙シールは、シール略中央に二つの折り目を有し、
折り目で挟まれる中央部分は、アルバムページ部の背の部分と対応することでアルバムページ部に対する背表紙を構成可能であり、
折り目で分けられる左右部分は、アルバムページ部の最初のページ裏面と最後のページ裏面と貼り合わされることで表表紙、裏表紙を作成可能である
ように構成されている請求項１または２に記載のストラップアクセサリ作成材料。
【請求項４】
前記複数のシールには、
アルバムページ部の最初の２ページ専用の最初シールと、
アルバムページ部の最後の２ページ専用の最後シールと、が含まれ、
最初シールの最初のページと、最後シールの最後のページとは、アルバムページ部の小口にひさしとなるように大きめに構成されている請求項１から３のいずれか一に記載のストラップアクセサリ作成材料。
【請求項５】
ベースシート上で剥離可能に配置され、
ストラップ紐挿通穴用切込み部を有し、幅が表紙シールの前記中央部分幅とほぼ等しい短冊状のつり下げシールをさらに有する請求項３または３に従属する請求項４に記載のストラップアクセサリ作成材料。
【請求項６】
請求項１から５のいずれか一に記載のストラップアクセサリ作成材料を用いて作成されるストラップアクセサリ。
【請求項７】
請求項６に記載のストラップアクセサリを備えたストラップ。
【発明の詳細な説明】
【技術分野】
【０００１】
本件発明は、ストラップアクセサリ作成材料、特に小さな写真アルバムを作成可能に構成されているストラップアクセサリ作成材料に関し、ならびに当該ストラップアクセサリ作成材料を用いて作成されるストラップアクセサリおよび当該ストラップアクセサリを備えたストラップに関する。
【背景技術】
【０００２】
いわゆる携帯ストラップ（本発明においては、単に「ストラップ」という）は、携帯電話などの携帯品に取り付けられる革製、布製などの紐状や金属のチェーン状などの形状のものをいい、元来は、携帯電話等を首から吊るしたり、衣服（例えばベルト通し）等に係止したりすることで携帯品の落下や紛失を防ぐためのものであるが、近年、元来の機能を離れ、これに小物を入れることのできるケースなどを取り付けたり、アクセサリを取り付けて装飾品として用いたりすることも多い。
【０００３】
例えば、非特許文献１には、開閉ボタン付きのブック型のクリアファイルをストラップの先端に取り付けたものが開示されている（非特許文献１参照）。
【先行技術文献】
【非特許文献】
【０００４】
【非特許文献１】ストラップヤ・広告ページ掲載「パチッとあけると便利アイテム！！」（ｈｔｔｐ：／／ｗｗｗ．ｓｔｒａｐｙａ．ｃｏｍ／ｐｒｏｄｕｃｔｓ／２７９３２．ｈｔｍｌ）
【発明の概要】
【発明が解決しようとする課題】
【０００５】
ストラップに取り付けられる装飾品としては、例えば、マスコット人形、写真入りのホルダなどがある。これらは、例えばマスコット人形を身近に常におくことで気を休めたり、大事な人の写真を肌身離さず身に付けることで安心感を得たりするために利用されることが多い。ストラップは従来は単に装飾的な機能しか有さなかったが、最近ではその域を超えて心理的な安らぎを得るために大事なものを常に身に付けるための道具として利用される傾向が高くなっている。
【０００６】
上記従来のブック型クリアファイルは、小さなもの、例えばメモリカードや、折りたたんだメモを収納してストラップに取り付けるようにしたものである。
【０００７】
しかし、このブック型クリアファイルは、小さなものを収納することを目的としているので通常の写真を収納するにはサイズが小さすぎる（約５５ｍｍ）。一方、常時身に付けるストラップとしてはむしろサイズはやや大きすぎる。このサイズは通常の携帯電話の幅（５０ｍｍ程度）よりも大きくたとえば携帯電話にぶら下げてポケットに気軽に入れて行動するには適さない。サイズがこの程度になった理由としてはクリアファイルを構成するために必要な技術的な制約、例えばクリアポケットへのメモリカードなどの出し入れのために必要なスペースの確保や、クリアポケットの頑丈性などの技術的要請などがあるものと思われる。
【０００８】
本発明の解決すべき課題は、通常のスナップ写真などを複数分ストラップのアクセサリとできるストラップアクセサリ作成材料を提供することと、そのストラップのサイズも常時身に付けるものとして不自由でないサイズとできるストラップアクセサリ作成材料を提供することにある。また、当該ストラップアクセサリ作成材料を用いて作成されるストラップアクセサリおよび当該ストラップアクセサリを備えたストラップを提供することにある。
【課題を解決するための手段】
【０００９】
以上の課題を解決するために、通常のスナップショットのデータを小さなサイズの印画紙である写真プリント用のシールに焼きつけるに適した材料を提供すると共に、このシールを何かに貼り付けたり、何かクリアポケットのようなものに収納したりするのでなく、このシール自体を写真アルバムそのものを構成する材料にできるようにした。これにより、従来のような収納構造が必要なくなりそれに伴ってサイズを十分に小さくすることができた。なお、印画紙の種類に特に限定はなく、例えばインクジェット用の印画紙であってもよいし、昇華型熱転写用の印画紙であってもよい。
【００１０】
またシールは一枚一枚独立的に剥離できる構造として、スナップショットなどの中から気に入ったショットのみを選択する自由を利用者に与え、また複数のスナップショットなどをどのような順番でアルバムとして配列するかも自由に設計できる仕組みを利用者に与えている。さらにアルバムそのものをシールで構成するようにした上に、アルバムの表紙などもシールを配置する台紙となるベースシート上に配置したので利用者にとっても、提供者にとっても煩雑さを最低とすることができた。
【００１１】
以上の課題を解決するためさらに具体的には、第一の発明は、ベースシートと、ベースシート上で剥離可能に配置される写真プリント用の複数のシールとを有し、各シールは、シール中央に折り目を有し、折り目で分けられる見開き２ページの各ページ裏面を他の任意のシールの各ページ裏面と貼り合わせることでストラップのアクセサリとなる小さな写真アルバムのアルバムページ部を作成可能に構成されているストラップアクセサリ作成材料を提供する。
【００１２】
また、第二の発明は、第一の発明を基礎として、各シールは、角に丸みを持たせた形状であるストラップアクセサリ用材料を提供する。
【００１３】
また、第三の発明は、第一または第二の発明を基礎として、ベースシート上で剥離可能に配置される写真プリント用の表紙シールを有し、表紙シールは、シール略中央に二つの折り目を有し、折り目で挟まれる中央部分は、アルバムページ部の背の部分と対応することでアルバムページ部に対する背表紙を構成可能であり、折り目で分けられる左右部分は、アルバムページ部の最初のページ裏面と最後のページ裏面と貼り合わされることで表表紙、裏表紙を作成可能であるように構成されているストラップアクセサリ作成材料を提供する。
【００１４】
また、第四の発明は、第一から第三のいずれか一の発明を基礎として、前記複数のシールには、アルバムページ部の最初の２ページ専用の最初シールと、アルバムページ部の最後の２ページ専用の最後シールとが含まれ、最初シールの最初のページと、最後シールの最後のページとは、アルバムページ部の小口にひさしとなるように大きめに構成されているストラップアクセサリ作成材料を提供する。
【００１５】
また、第五の発明は、第三の発明または第三の発明を基礎とする第四の発明を基礎として、ベースシート上で剥離可能に配置され、ストラップ紐挿通穴用切込み部を有し、幅が表紙シールの前記中央部分幅とほぼ等しい短冊状のつり下げシールをさらに有するストラップアクセサリ作成材料を提供する。
【００１６】
また、第六の発明は、第一から第五のいずれか一の発明のストラップアクセサリ作成材料を用いて作成されるストラップアクセサリを提供する。
【００１７】
また、第七の発明は、第六の発明のストラップアクセサリを備えたストラップを提供する。
【発明の効果】
【００１８】
本発明により、通常のスナップ写真などを複数分ストラップのアクセサリとできるストラップアクセサリ作成材料を提供することと、そのストラップのサイズも常時身に付けるものとして不自由でないサイズとできるストラップアクセサリ作成材料を提供することが可能となる。また、当該ストラップアクセサリ作成材料を用いて作成されるストラップアクセサリおよび当該ストラップアクセサリを備えたストラップを提供することが可能となる。
【図面の簡単な説明】
【００１９】
【図１】本発明のストラップ作成材料の一例を示す平面図
【図２】図１のＡ‐Ａ断面図
【図３】各シールの形状の一例を示す平面図
【図４】表紙シールの形状の一例を示す図
【図５】最初シールの最初のページと最後シールの最後のページとがアルバムページ部の小口にひさしとなるように大きめに構成されている状態を説明するための図
【図６】最初シールと最後シールの形状の一例を示す図
【図７】つり下げシールの形状の一例を示す図
【図８】つり下げシールの使用状態の一例を示す図
【図９】実施例２のストラップアクセサリの作成要領を説明するための図
【図１０】実施例２のストラップアクセサリの作成要領を説明するための図
【図１１】実施例２のストラップアクセサリの作成要領を説明するための図
【図１２】本実施例のストラップの一例を示す図
【符号の説明】
【００２０】
０１００      ストラップ作成材料
０１０３〜０１１３      シール
０１１４      表紙シール
０１１５      つり下げ用シール
０２０１      ベースシート
０５２０      ストラップアクセサリ
１２３０      ストラップ
【発明を実施するための形態】
【００２１】
以下に、本発明の実施例を説明する。なお、本発明はこの実施例に何ら限定されるものではなく、その要旨を逸脱しない範囲において、種々なる態様で実施しうる。
【実施例１】
【００２２】
<概要>
【００２３】
本実施例のストラップ作成材料は、ベースシートと、写真プリント用の複数のシールとを有する。当該ストラップ作成材料は、各シールの裏面を互いに貼り合わせることでストラップのアクセサリとなる小さな写真アルバムのアルバムページ部を作成可能に構成されている。
【００２４】
<構成>
【００２５】
（全般）
【００２６】
図１は、本発明のストラップ作成材料の一例を示す平面図である。「ストラップ作成材料」０１００は、「ベースシート」（本図には現れない）と、写真プリント用の複数の「シール」０１０３〜０１１３とを有する（即ち、「ストラップ作成材料」０１００は本図に現れないベースシートを含む全体を指す）。シールは、例えば本図の例のように、ベースシートと同形の一枚の写真プリント用シート０１０２に複数配置される。そこで、この場合には、ストラップ作成材料は、ベースシートの上に写真プリント用シートを貼り合わせてなる（なお、本図および以下に示す各図はいずれも概念図であるので、各図間の寸法比率は必ずしも一致しない。また、煩雑を避けるため一部の記載を省略して示す場合がある）。
【００２７】
本発明において「ストラップ」とは、いわゆる携帯ストラップをいう。即ち、携帯電話、携帯型音楽プレーヤー、バッグなどの携帯品に取り付けられる革製、布製などの紐状や金属のチェーン状などの形状のものをいう。
【００２８】
図２は、図１のＡ‐Ａ断面図である。本図に示すように、ストラップ作成材料０２００は、ベースシート０２０１の上に写真プリント用シート０２０２を貼り合わせたものである。写真プリント用シートは、複数のシールを含む（本図では三枚のシール０２０９、０２０４、０２１２が現れている）。写真プリント用シートのうち、少なくとも各シールはベースシートから剥離可能に配置されている。例えば、中央のシール０２０４は、左右の両端０２０４ａ、０２０４ｂ（これは図１のシール０１０４の上下の両端に相当する）でその外側の領域０２１７、０２１８から切り離してベースシート０２０１から剥離することができるようになっている（なお、本図では各部材の位置関係を明確に示すため、便宜上各部材を若干離して描いた）。
【００２９】
本発明のストラップ作成材料には写真プリント前のものと写真プリント済みのものの両方が含まれる。即ち、第一に、本発明のストラップ作成材料は、写真プリント可能な複数のシールを配置したものであり、これに写真をプリントした上で、ストラップアクセサリを作成可能なものである。また、第二に、本発明のストラップ作成材料は、写真をプリント済みであり、これを用いて直ちにストラップアクセサリを作成可能なものである。
写真にプリント済みのものとしては、例えば、インターネットなどを介して利用者がアクセス可能なサーバ上に写真プリント前のフォーマットが掲載されており、このフォーマットと、利用者が選択したスナップ写真などを利用して作成したものが考えられる。また、例えば、主要な観光名所の写真をストラップアクセサリ作成材料の各アルバムシールに印刷して観光地の土産品として販売する（利用者は購入後に自宅などでアルバムの形に作成してストラップアクセサリとして利用する）といったものも考えられる。
【００３０】
（ベースシート）
【００３１】
「ベースシート」は、図２にも示されているように、自身の上に複数のシールを配置する部材であって、ストラップ作成材料のうちの台紙にあたる部分である。
【００３２】
（シール）
【００３３】
「シール」は、ベースシート上で剥離可能に複数配置される写真プリント用の部材である。剥離可能に配置する方法としては、例えば、シール裏面にシールの着脱が自在な接着剤を塗布して、シールをベースシート上に配置するという方法を用いることができる。
【００３４】
各シールは、ストラップのアクセサリとなる小さな写真アルバムのアルバムページ部を作成可能に構成されている。
【００３５】
「アルバムページ部」は、アルバムのうち、表表紙、裏表紙および背表紙を除くアルバムの本体部分を構成する各ページをいう。また、「小さな写真アルバム」とは、ストラップアクセサリとして用いるのに適したサイズの写真アルバムということであり、例えばアルバムの各ページが３ｃｍ×２ｃｍ程度の大きさのものが考えられる。
【００３６】
このような小さな写真アルバムを作成する目的は、常に身につけておきたい通常のスナップショットなどは携帯電話にぶら下げるなどして持ち歩くには大きすぎることから、これをストラップアクセサリに適したサイズにすることで、携帯電話などに取り付けて気軽に持ち歩けるようにすることにある。
【００３７】
アルバムページ部の作成を可能にするために、各シールは一枚ずつ別々にベースシートから剥離させることができるようになっている。このように別々に剥離できることで、利用者に対して、気に入ったショットのみを選択するとか、任意の順番でアルバムに配列するといった自由を与えることが可能となっている。
【００３８】
図３は、各シールの形状の一例を示す平面図である。ストラップアクセサリの作成要領として後に詳述するように、各シールを用いてアルバムページ部を作成するときには、各シールを中央で谷折りし、各シールの各ページ裏面（後述のように各シールは見開き２ページを有するのでシール裏面全体の半分にあたる）と他の任意のシールの各ページ裏面を貼り合わせるようにする。そこで、本図に示すように各シール０３０３は、シール中央に折り目０３０３ａを有し、折り目で分けられる見開き２ページ分０３０３ｂ、０３０３ｃを有する。
【００３９】
なお、折り目には折り曲げやすいようにミシン目などを入れてもよい。本図に示す例も折り目にミシン目を入れた例である。
【００４０】
このように、各シールの裏面どうしを貼り合わせていくことでアルバムページ部を構成するものであることから、貼り合わせたときにずれが生じないように、各シールの各ページ裏面は同形であることが望ましい。図３に示したものは図１に示したうちの一のシート０１０３であるが、図１の例では他のシート０１０４〜０１１１もこれと同形である。
【００４１】
ただし、例外として異なる形状のシールが含まれることが望ましい場合がある。これは典型的には表紙シールを設ける場合に生じるので、説明の便宜上表紙シールを説明した後に説明する（「シール（２）」の項参照）。なお、図１に示した例では、二枚のシート０１１２、０１１３がこの例外にあたる。
【００４２】
各シールの形状は、図３の例にも示したように、角に丸みを持たせた形状であることが望ましい。このような形状にすれば、アルバムのページの各角に丸みを持たせたものとすることができる。このため、角が折れ曲がったり、ページを何度もめくるうちに角が痛んだり、ページをめくるときに角で手に怪我をしたりといったおそれを減らすことが可能となる。このような形状とすることが可能であるのは、シールを見開き２ページとしたことによる。仮に、例えばシールに複数の折り目を設けて山折り、谷折りを交互に繰り返して一枚のシートで蛇腹形状となるようにした場合には、このように各ページの角に丸みを持たせることは困難である。なお、角に丸みを持たせた形状は、図３に示すように、矩形の各角を丸くしたものに限られず、他の形状であってもよい。例えば、略ハート型（ただし、下端の角も丸くなっているもの）や花型のような形状であってもよい。
【００４３】
（表紙シール）
【００４４】
本実施例のストラップ作成材料は、表紙シールを有していてもよい。表紙シールは、ベースシート上で剥離可能に配置される写真プリント用の部材である。
【００４５】
前出の図１に示したストラップ作成材料にも、表紙シール０１１４が配置されている例が示されている。
【００４６】
図４は、表紙シールの形状の一例を示す図である。本図に示すように、表紙シール０４１４は、シール略中央に二つの折り目０４１４ａ、０４１４ｂを有し、折り目で挟まれる中央部分０４１４ｃと、折り目で分けられる左右部分０４１４ｄ、０４１４ｅとを有する。
【００４７】
ストラップアクセサリの作成要領として後に詳述するように、中央部分は、アルバムページ部の背の部分と対応することでアルバムページ部に対する背表紙を構成可能である。また、左右部分は、アルバムページ部の最初のページ裏面と最後のページ裏面と貼り合わされることで表表紙、裏表紙を作成可能であるように構成されている。
【００４８】
このように、ストラップアクセサリ材料の写真プリント用のシートに表紙シールも設けることで、ストラップアアクセサリを作成したときに、外面にも写真が現れることとなり、ペンダントと同じような感覚で携帯時に気軽に見ることもできるし、複数のストラップアアクセサリを作成して交互に携帯する際の区別も容易に行うことが可能となる。
【００４９】
ところで、表紙シールとアルバムページ用のシールを用いてストラップアクセサリ（写真アルバム）を作成した場合、表紙がアルバムページより少し大きい方が、アルバムページを保護する上で都合がよいし、見栄えも美しい。そこで、ストラップアクセサリをこのような形状にすることを可能にするため、表紙シールは、アルバムページ用のシールよりも少し大きいことが望ましい。より詳細に言えば、縦の寸法はアルバム用のシールとほぼ等しく、横の寸法がアルバム用のシールより若干長い程度が望ましい。これは、次項（シール（２））に述べる構成と相まって、表紙が小口に対してひさしとなるように構成するためである。具体的な寸法としては、例えば、アルバムの各ページが３ｃｍ×２ｃｍ程度の大きさのものである場合に、表紙シールの左右部分は、それぞれ３ｃｍ×３ｃｍ程度とすることが考えられる。また、この場合に、背表紙を構成する中央部分の幅は１ｃｍ弱程度とすることが考えられる。
【００５０】
アルバムのサイズをこのような小さなものとすることで、これを取り付けたストラップのサイズも、常時身につけるものとして不自由でないサイズとすることが可能となる。
【００５１】
なお、一つのストラップ作成材料が表紙シールを複数有していてもよい。また、この場合にそれぞれの表紙シールの形状が異なっていてもよい。例えば、ストラップ作成材料が２枚の表紙シールを有し、このうち１枚が上述の例と同じように横の寸法がアルバム用のシールより若干長く、もう１枚がアルバム用のシールと同じ寸法であるというものが考えられる。このようにすることで、利用者は、ある写真アルバムを作成するときには表紙に横の寸法がアルバム用のシールより若干長いものを用い、別の写真アルバムを作成するときには表紙にアルバム用のシールと同じ寸法のものを用いるといった具合に、好みに応じてアルバムの表紙を選択することができるようになる。
【００５２】
（シール（２））
【００５３】
既に言及したように、各ページ裏面が同形であることが望ましいことの例外として、異なる形状のシールが含まれることが望ましい場合があり、典型的には、ストラップ作成材料が表紙シールを有する場合がこれに該当する。
【００５４】
具体的に他のシール（以下「通常のシール」という）と形状が異なるシールは、（１）アルバムページ部の最初の２ページ専用のシール（本発明において「最初シール」という）と、（２）アルバムページ部の最後の２ページ専用のシール（本発明において「最後シール」という）である。
【００５５】
この場合、最初シールの最初のページと、最後シールの最後のページとは、アルバムページ部の小口にひさしとなるように大きめに構成される。「小口」はアルバムの前面（背表紙の反対側の面）をいうところ、「小口にひさしとなるように」とは、表表紙と最初シールの最初のページを貼り合わせることによって形成される面と、裏表紙と最後シールの最後のページを貼り合わせることによって形成される面とが、その間に挟まれている各ページよりも大きめであることで、あたかも家のひさしが軒よりも張り出しているように、「両表紙がアルバムページ部分よりも張り出しているように」という意味である。
【００５６】
図５は、最初シールの最初のページと最後シールの最後のページとがアルバムページ部の小口にひさしとなるように大きめに構成されている状態を説明するための図である。本図には、本実施例のストラップ作成材料を用いてストラップアクセサリ（写真アルバム）０５２０を作成した場合において、当該ストラップアクセサリの表表紙と最初シールの最初のページを貼り合わせることによって形成される面０５２１と、裏表紙と最後シールの最後のページを貼り合わせることによって形成される面０５２２とが、その間に挟まれている各ページによって形成される小口（破線０５２３で囲んだ範囲で示される）にひさしとなるように張り出している状態が現れている。
【００５７】
このような構成を可能にするために、最初シールの最初のページと、最後シールの最後のページとは、他のページよりも大きめに構成される。この場合、最初シールの最初のページは表表紙と貼り合わされ、最後シールの最後のページは裏表紙と貼り合わされるものであることから、「大きめ」とは、好適には、表紙の左右部分のそれぞれと同じ大きさを意味する。
【００５８】
前出の図１に示したストラップ作成材料にも、最初シール０１１２と最後シール０１１３が配置されている例が示されている。なお、上では、縦書きの書物のように小口側から見て右側に表表紙が来るアルバムを想定したが、横書きの書物のように小口側から見て左側に表表紙が来るアルバムでは、図１の最初シールと最後シールが逆になる。
【００５９】
図６は、最初シールと最後シールの形状の一例を示す図である（本図でも図１と同様、小口側から見て右側に表表紙が来るアルバムを想定している）。本図では、通常のシール、表紙シールの大きさとの違いをわかりやすく比較するために、これらと並べて示している。
【００６０】
本図に示すように、最初シール０６１２の最初のページ０６１２ｃと表紙シール０６１４の表表紙０６１４ｄは同じ大きさ（かつ左右対称の同形）である。最初シール０６１２の他方のページ０６１２ｃは通常のシールの一つのページ０６０１ｃと同じ大きさ（かつ左右対称の同形）である。
【００６１】
また、最後シール０６１３の最後のページ０６１３ｂと表紙シール０６１４の裏表紙０６１４ｅは同じ大きさ（かつ左右対称の同形）である。最後シール０６１３の他方のページ０６１３ｃは通常のシール０６１１の一つのページ０６１１ｂと同じ大きさ（かつ左右対称の同形）である。
【００６２】
（つり下げシール）
【００６３】
本実施例のストラップ作成材料は、つり下げシールを有していてもよい。つり下げシールは、ストラップ材料を用いて作成したストラップアクセサリをストラップにつり下げるために使用するためのものであり、ベースシート上で剥離可能に配置され、ストラップ紐挿通穴用切込み部を有し、幅が表紙シールの中央部分幅とほぼ等しい短冊状の部材である。
【００６４】
前出の図１に示したストラップ作成材料にも、つり下げシール０１１５が配置されている例が示されている。
【００６５】
図７は、つり下げシールの形状の一例を示す図である。本図に示すように、つり下げシール０７１５は、ストラップ紐挿通穴用切込み部０７１５ａを有し、幅が表紙シールの中央部分幅とほぼ等しい短冊状の部材である。従って、表紙シールの中央部分幅が上に挙げたような１ｃｍ弱程度の例の場合には、つり下げシール幅も１ｃｍ弱程度となる。
【００６６】
図８は、つり下げシールの使用状態の一例を示す図であって、つり下げシール０８１５をベースシート上から剥離してストラップアクセサリに取り付けるために組み立てた状態の一例を示す。本図のつり下げシールは、図７の状態から剥離し、二つのストラップ紐挿通穴用切込み部どうしが重なるようにＢ‐Ｂ線で山折りして裏面どうしを接着させた状態を示す。
【００６７】
以上のほか、ストラップアクセサリ作成材料には、図１の例にも示したように見出し用のシール０１１６などが備えられていてもよい。さらに、前出の観光地の土産品などに利用する場合には、利用者が購入後にアルバムの形に作成する際の作成方法をサーバに掲載するとともに、利用者がこのサーバにアクセスするための二次元バーコードなどを印刷したシールが備えられていてもよい。
【００６８】
また、上で表紙シールを複数有していてもよい例を述べたが、これと同様に、他のシールも複数の枚数が保有されていたり、複数の種類のものが保有されていたりしてもよい。例えば、アルバム用のシールについて、形状の異なる（例えば略矩形のものと略ハート型のもの）それぞれのセットを複数種類保有していてもよい。また、つり下げシールについても形状の異なる複数のものを保有し、利用者が好みに応じて選択できるようにしてもよい。
【００６９】
このように、アルバムそのものをシールで構成することに加え、表紙シール、つり下げシール、見出し用シールなどをすべて一つのベースシート上に配置することで、利用者、提供者ともにアルバム作成の煩雑さから解放され、極めて手軽にアルバムを作成して、これを常時ストラップアクセサリとして携行することが可能になっている。
【００７０】
<効果>
【００７１】
本実施例の発明により、通常のスナップ写真などを複数分ストラップのアクセサリとできるストラップアクセサリ作成材料を提供することが可能となる。また、そのストラップのサイズも常時身に付けるものとして不自由でないサイズとできるストラップアクセサリ作成材料を提供することが可能となる。
【実施例２】
【００７２】
<概要>
【００７３】
本実施例のストラップアクセサリは、実施例１で述べたストラップアクセサリ作成材料を用いて作成されるストラップアクセサリである。
【００７４】
<構成>
【００７５】
（全般）
【００７６】
本実施例のストラップアクセサリの形状の一例は図５に示したとおりである。同図の例は、実施例１で述べたストラップアクセサリ作成材料のうち、アルバムページ部を構成するためのシールのほかに表紙シールを有し、アルバムパージ部を構成するためのシールの中に、最初シールと最後シールが含まれ、最初シールの最初のページと最後シールの最後のページとはアルバムページ部の小口にひさしとなるように大きめに構成されるストラップアクセサリ作成材料を用いて作成した例である。
【００７７】
（ストラップアクセサリの作成要領）
【００７８】
ここで、ストラップアクセサリ作成材料を用いた本実施例のストラップアクセサリの作成要領の一例について、図９に示した形状のストラップアクセサリを作成する場合の例で説明する。なお、この作成に用いるストラップアクセサリ作成材料は、前にも述べたように写真プリント済みのものである。
【００７９】
図９〜図１１は本実施例のストラップアクセサリの作成要領を説明するための図である。以下、これらの図を適宜用いて説明する。本例のストラップアクセサリは、以下の工程によって作成される。
【００８０】
（工程１）：はじめに、アルバムページ部の作成工程について説明する。まず、アルバムページ部に用いる各シール（最初シール、最後シールを含む）をベースシートから剥離させる
【００８１】
（工程２）：次に、工程１にて剥離させたシールのうち最初シール０９１２を、図９（ａ）に示すように折り目０９１２ａにて谷折りする。
【００８２】
（工程３）：次に、工程１にて剥離させたシールのうち最初シール（１、２ページを構成）に続くページ（即ち３、４ページ）を構成するシール０９０３を、図９（ｂ）に示すように折り目０９０３ａにて谷折りする。
【００８３】
（工程４）：次に、図９（ｃ）に示すように、工程２にて谷折りした最初シール０９１２の２ページ０９１２ｂと、工程３にて谷折りした３、４ページを構成するシール０９０３の３ページ０９０３ｃの裏面どうしを接着する。
【００８４】
（工程５）：次に、工程１にて剥離させたシールのうち５、６ページを構成するシール０９０４を、図９（ｂ）と同じ要領で折り目０９０４にて谷折りする。
【００８５】
（工程６）：次に、図１０（ａ）に示すように、工程４にて接着した３、４ページを構成するシール１００３の４ページ１００３ｂと、工程５にて谷折りした５、６ページを構成するシール１００４の５ページ１００４ｃの裏面どうしを接着させる。
【００８６】
図１０（ｂ）は、図１０（ａ）の状態をページ略中央の水平断面でみた図であり、ここまでの工程による作成途上のアルバムページ部の状態を示したものである。
【００８７】
７、８ページ以降を構成するシールについても、上記工程と同じ要領で、谷折り・接着を、最後シールの直前のページ（本例では１９、２０ページ）を構成するシールの谷折り・接着に至るまで繰り返す（この状態のものが後出の図１０（ｄ）左側に示されている。即ち、同図において、最後シールの直前のページを構成するシール１０１１（当該シール１０１１は２０ページ１０１１ｂと１９ページ１０１１ｃによって構成されている）のうち２０ページ１０１１ｂの裏面が手前側に現れている）。
【００８８】
（工程７）：次に、工程１にて剥離させたシールのうち最後シール１０１３を、図１０（ｃ）に示すように折り目１０１３ａにて谷折りする。
【００８９】
（工程８）：次に、図１０（ｄ）の左側に示す工程６までで接着した最後シールの直前のページ（２０ページ）１０１１ｂと、工程８にて谷折りした最後シール（２１、２２ページを構成）１０１３の最後ページではない方のページ（２１ページ）１０１３ｃの裏面どうしを接着させる。同図の右側にこのようにして最後シールを接着した状態を示す。
【００９０】
以上の工程により、アルバムページ部の作成が完了する。
【００９１】
図１１（ａ）は、図１０（ｄ）の状態をページ略中央の水平断面でみた図であり、以上の工程により完成したアルバムページ部の状態を示したものである。
【００９２】
（工程９）：次に、表紙の作成工程について説明する。まず、表紙シールをベースシートから剥離させる
【００９３】
（工程１０）：次に、工程９にて剥離させた表紙シールのうち最初シール１１１４を、図１１（ｂ）に示すように二つの折り目１１１４ａ、１１１４ｂにてともに山折りする。
【００９４】
（工程１１）：次に、図１１（ｃ）に示すように、工程１０にて山折りした表紙シール１１１４の表表紙１１１４ｄと、工程８までにて作成したアルバムページ部の最初シール１１１２の１ページ１１１２ｃの裏面どうしを接着する。
【００９５】
（工程１２）：次に、図１１（ｄ）に示すように、工程１０にて山折りした表紙シール１１１４の裏表紙１１１４ｅと、工程８までにて作成したアルバムページ部の最後シール１１１３の最終ページ（２２ページ）１１１３ｃの裏面どうしを接着する。
【００９６】
これで、ストラップアクセサリの作成が完了する。なお、つり下げシールを設ける場合は、前出の図８に示した状態に組み立てたつり下げシールを、工程８までにて作成したアルバムページ部の背表紙裏部分に貼り付けた後、このつり下げシールごとアルバムページ部を包む形で、工程９以下に示した要領にて表紙シールの取り付けを行うようにすればよい。
【００９７】
<効果>
【００９８】
本実施例の発明により、通常のスナップ写真などを複数分ストラップのアクセサリとでき、そのストラップのサイズも常時身に付けるものとして不自由でないサイズとできるストラップアクセサリを提供することが可能となる。
【実施例３】
【００９９】
<概要>
【０１００】
本実施例のストラップは、実施例２で述べたストラップアクセサリを備えたストラップである。
【０１０１】
<構成>
【０１０２】
（全般）
【０１０３】
図１２は、本実施例のストラップの一例を示す図である。
【０１０４】
本図示すストラップ１２３０は、ストラップへのつり下げシールを用いずにつり下げ用の挿通穴１２３１（はとめで補強）を備えたビニールケース１２３２に収納してストラップ紐１２３３に取り付けた例である。ケースの材料としては、このほか布や革なども考えられる。例えば、布を材料にした場合には、その折柄などを、例えばお守り袋のように大事なものを収納するのにふさわしいデザインにすることができる。また、革を材料にした場合には、常に身に付けて持ち歩くのにふさわしい丈夫なケースとすることができる。
【０１０５】
<効果>
【０１０６】
本実施例の発明により、通常のスナップ写真などを複数分ストラップのアクセサリとでき、そのストラップのサイズも常時身に付けるものとして不自由でないサイズとできるストラップアクセサリを備えたストラップを提供することが可能となる。
【図１】
2010213847.tif 000003
【図２】
2010213847.tif 000004
【図３】
2010213847.tif 000005
【図４】
2010213847.tif 000006
【図５】
2010213847.tif 000007
【図６】
2010213847.tif 000008
【図７】
2010213847.tif 000009
【図８】
2010213847.tif 000010
【図９】
2010213847.tif 000011
【図１０】
2010213847.tif 000012
【図１１】
2010213847.tif 000013
【図１２】
2010213847.tif 000014